(57)【要約】【課題】ＰＯＳ端末における画像の表示は、予め定められたいずれか一方の表示制御方式に従って表示されているため、ユーザーがＰＯＳ端末の表示部に関する設定をその都度変更する必要があった【解決手段】本体と、この本体に支軸部を介して設けられ、この支軸部を中心とした回動動作により、前記本体に対する第１の動作位置及び第２の動作位置のいずれかに回転移動される表示部と、前記本体に対する前記表示部の状態を検出するセンサと、前記センサにて前記本体に対する前記表示部の状態が前記第１の動作位置であることを検出した場合、前記表示部に表示される画像を第１の表示制御モードにて表示制御させ、前記センサにて前記本体に対する前記表示部の状態が前記第２の動作位置であることを検出した場合、前記表示部に表示される画像を第２の表示制御モードにて表示制御させる制御部と、を備える。【選択図】図６
2013073295.tif 000002
【特許請求の範囲】
【請求項１】
本体と、
この本体に支軸部を介して設けられ、当該支軸部を中心とした回動動作により、前記本体に対する第１の動作位置及び第２の動作位置のいずれかに位置づけられて所定の画像を表示する表示部と、
前記本体に対する前記表示部の状態を検出するセンサと、
前記センサにて前記本体に対する前記表示部の状態が前記第１の動作位置であることを検出した場合、前記表示部に表示される画像を第１の表示制御モードにて表示制御し、前記センサにて前記本体に対する前記表示部の状態が前記第２の動作位置であることを検出した場合、前記表示部に表示される画像を前記第１の表示制御モードとは異なる第２の表示制御モードにて表示制御する制御部と、
を備えることを特徴とする情報処理端末。
【請求項２】
前記制御部は、第１の表示制御モードにおける表示画像の画素数を第２の表示制御モードにおける表示画像の画素数より多い画素数にて表示制御することを特徴とする請求項１記載の情報処理端末。
【請求項３】
前記表示部は、ユーザーからの操作入力を受け付けるタッチパネルをさらに備え、
前記制御部は、前記第１の表示制御モードにおける前記タッチパネルから受け付けた操作入力に対する応答時間を、前記第２の表示制御モードにおける前記タッチパネルから受け付けた操作入力に対する応答時間よりも早い応答時間にて表示制御することを特徴とする請求項１又は２に記載の情報処理端末。
【請求項４】
前記センサは、傾斜センサであることを特徴とする請求項１乃至３のいずれか一つに記載の情報処理端末。
【請求項５】
前記センサは、加速度センサであることを特徴とする請求項１乃至３のいずれか一つに記載の情報処理端末。
【発明の詳細な説明】
【技術分野】
【０００１】
本発明の実施形態は、表示部を有する情報処理端末に関する。
【背景技術】
【０００２】
現在、タッチパネル等からなる１つの表示部を有するＰＯＳ（Ｐｏｉｎｔ  Ｏｆ  Ｓａｌｅｓ）端末が存在する。ＰＯＳ端末は、その内部にＨＤＤ（Ｈａｒｄ  Ｄｉｓｋ  Ｄｒｉｖｅ）やプリンタ等を有し、キーボードや決済端末等の外部機器がコネクタを介して接続されている。
【０００３】
店員は、ＰＯＳ端末の表示部を用いて、例えば、商品購入のための商品登録処理を実行する。一方、顧客においても、この表示部を使って入力操作を行う場合がある。
【０００４】
例えば、店員がＰＯＳ端末を使用する一例として、店員は商品登録業務時において、バーコードスキャナやＣＣＤスキャナ等を使用して商品に付されている商品コードを読み取り、表示部を倒した状態のＰＯＳ端末をタッチ操作することにより商品登録処理を行う。一方、顧客がＰＯＳ端末を使用する一例として、顧客は表示部を起立させた状態に保ち、表示部の表示内容を確認することがある。
【０００５】
ここで、ＰＯＳ端末の表示部に表示される画面上には、商品登録情報やポインタ等の画像が表示されている。このポインタは、使用者による表示画面に対するタッチ操作に追従するように表示制御されている。一方、この表示制御の方式とは異なるいわゆるマルチタッチと呼ばれる表示制御方式にて表示制御される場合もある。
【先行技術文献】
【特許文献】
【０００６】
【特許文献１】特開２０１０−４９４２９公報
【発明の概要】
【発明が解決しようとする課題】
【０００７】
上記したＰＯＳ端末は、予め定められたいずれか一方の表示制御方式に従って表示されており、表示制御方式の変更には、その都度、ユーザーがＰＯＳ端末の表示部に関する設定を変更する必要があった。このため容易に表示制御方式を変更することは困難であった。
【課題を解決するための手段】
【０００８】
本実施形態の情報処理端末は、本体と、当該本体に支軸部を介して設けられ、当該支軸部を中心とした回動動作により、前記本体に対する第１の動作位置及び第２の動作位置のいずれかに位置づけられて所定の画像を表示する表示部と、前記本体に対する前記表示部の状態を検出するセンサと、前記センサにて前記本体に対する前記表示部の状態が前記第１の動作位置であることを検出した場合、前記表示部に表示される画像を第１の表示制御モードにて表示制御し、前記センサにて前記本体に対する前記表示部の状態が前記第２の動作位置であることを検出した場合、前記表示部に表示される画像を第２の表示制御モードにて表示制御する制御部と、を備える。
【図面の簡単な説明】
【０００９】
【図１】本実施形態に係るＰＯＳ端末の外観を示す外観斜視図。
【図２】本実施形態に係るＰＯＳ端末を側面からみた側面図。
【図３】本実施形態に係るＰＯＳ端末を側面からみた側面図。
【図４】本実施形態に係るＰＯＳ端末の本体の内部構造を示す図。
【図５】本実施形態に係るＰＯＳ端末の電気的接続を示す図。
【図６】本実施形態に係るＰＯＳ端末のＣＰＵが実行制御するフローチャート。
【図７】本実施形態に係るＰＯＳ端末のＣＰＵが実行制御するフローチャート。
【発明を実施するための形態】
【００１０】
以下、添付図面を参照して、本発明の実施形態に係る情報処理装置の一実施形態を詳細に説明する。本実施形態では、商品登録処理等の業務を実行するＰＯＳ（Ｐｏｉｎｔ  Ｏｆ  Ｓａｌｅｓ）端末に適用した例として説明する。
【００１１】
図1は、ＰＯＳ端末の外観を示す外観斜視図である。ＰＯＳ端末１は、本体１０と表示部３０と支軸部２０とを備える。
【００１２】
本体１０は、支軸部２０（図１参照）を介して表示部３０が回動自在に取り付けられている。また、本体１０の上面部は傾斜面となっている（図２参照）。また、本体１０の内部は、印字を行なう印字部５２（図4参照）と、この印字部５２により印字されるロール紙Ｒ（図4参照）と、ＰＯＳ端末１の動作を制御するＣＰＵ５１と、ＲＯＭ５３、ＲＡＭ５４、ハードディスクドライブ（ＨＤＤ）５５等が内蔵されている。なお、ＰＯＳ端末１の電気的構成については後ほど詳述する。
【００１３】
表示部３０は、店員や顧客等のタッチ操作を検出するタッチパネル式の表示部で構成される。表示部３０は、支軸部２０を中心に回動することにより、本体１０の上面部に沿って倒れる状態（図２参照）、若しくは本体１０の上面部から起立する状態（図３参照）と、に状態を変更可能とする。例えば、表示部３０が本体１０の上面部に沿って倒れる状態（図２参照）の場合、ＰＯＳ端末１は店員により操作されることで商品登録業務等を実行する。一方、表示部３０が本体１０の上面部から起立した状態の場合、顧客によってＰＯＳ端末１の表示部３０は操作される。なお、表示部３０が本体１０の上面部に沿って倒れる状態の場合に、顧客により表示部３０が操作され、表示部３０が本体１０の上面部から起立した状態の場合、店員によって表示部３０が操作される場合でもあってもよい。
【００１４】
図２は、ＰＯＳ端末１を側面からみた側面図である。図２は、ＰＯＳ端末１の表示部３０が、本体の上面部に沿って倒れる状態であることを示している。
【００１５】
図３は、図２と同様にＰＯＳ端末１を側面からみた側面図である。図２は、ＰＯＳ端末１の表示部３０が、本体１０の上面部から起立した状態であることを示している。
【００１６】
なお、図３に示す表示部３０は、本体１０に対して略垂直の状態であるが、ここでの起立した状態とは、必ずしも略垂直の状態である必要はなく、表示部３０が本体１０に対して所定の角度を有する状態であってもよい。
【００１７】
図４は、ＰＯＳ端末１の本体１０の内部構造を示す図である。本体１０の略中央部には、印字媒体であるロール紙Ｒを収納する用紙収納部４１を有する。用紙収納部４１には、ロール紙Ｒが収納される。ロール紙Ｒは、用紙収納部４１から繰り出され、印字部５２であるサーマルヘッドにて印字される。
【００１８】
また、本体の図４の右方部には、外部機器と接続するための接続端子５３が配置されている。ＰＯＳ端末１と接続される外部機器としては、例えば、現金等を収納するためのドロワ６２、商品に付された商品ラベルに印刷されているバーコードを読み取るバーコードスキャナ６３、値引き用シールなどを読み取るＣＣＤスキャナ６４、カード決済等の場合に用いられるカードリーダ６５、ＰＯＳ端末操作用に接続されているキーボード６６などがある。
【００１９】
図５は、ＰＯＳ端末１の電気的接続を示す図である。ＰＯＳ端末１は、その内部にＣＰＵ（Ｃｅｎｔｒａｌ  Ｐｒｏｃｅｓｓｉｎｇ  Ｕｎｉｔ）５１を有する。このＣＰＵ５１に印字を行う印字部５２、ＲＯＭ（Ｒｅａｄ  ｏｎｌｙ  Ｍｅｍｏｒｙ）５３、ＲＡＭ（Ｒａｎｄｏｍ  Ａｃｃｅｓｓ  Ｍｅｍｏｒｙ）５４、ＨＤＤ（Ｈａｒｄ  Ｄｉｓｋ  Ｄｒｉｖｅ）５５、タッチパネル５６、このタッチパネルが積層されるＬＣＤ（Ｌｉｑｕｉｄ  Ｃｒｙｓｔａｌ  Ｄｉｓｐｌａｙ）５７、センサ５８、通信インターフェース５９、接続部であるコネクタ６０及び電源回路６１が主として接続されている。また、コネクタ等から構成される接続部を介してドロワ６２、バーコードスキャナ６３、ＣＣＤ（Ｃｈａｒｇｅ  Ｃｏｕｐｌｅｄ  Ｄｅｖｉｃｅｓ）スキャナ６４、カードリーダ６５、キーボード６６等が接続されている。
【００２０】
ＣＰＵ５１は所定の情報処理を実行すると共に、このＣＰＵ５１に接続されたＰＯＳ端末１の各部の制御を行う。また、ＬＣＤ５７上に表示される画像の表示制御を行う。また、ユーザーによるタッチパネル操作に応じた制御する。
【００２１】
センサ５８は、例えば、傾斜センサや加速度センサにて構成される。傾斜センサは本体１０に対する表示部３０の角度を検出する。加速度センサは、表示部３０の移動に伴う状態の変化を検出する。これらのセンサは、表示部３０が、本体１０に対して本体１０の上面部に沿って倒れる状態に変更されたか、若しくは本体１０の上面部から起立する状態に変更されたか否かを検出する。詳しくは、加速度センサは表示部１０内または支軸部２０内に設けられており、それぞれ表示部３０のｘ方向、ｙ方向への移動に伴う加速度を検出する。この加速度センサにて、検出された加速度信号をバスラインを介してＰＯＳ端末１のＣＰＵ５１に送信する。
【００２２】
図６は、ＰＯＳ端末１の表示部３０の状態変化に伴ってＣＰＵ５１が実行処理するフローチャートである。このフローチャートは、本体１０に対する表示部３０の傾斜角θ（図４参照）を検出する傾斜センサを用いて実現する。
【００２３】
まずＣＰＵ５１は、ＰＯＳ端末１の電源オンを検知すると、センサ５８により、本体１０に対する表示部３０の傾斜角θ（図４参照）の読み取りが実行され（Ａｃｔ６０１）、本体２０に対する表示部３０の現在の状態を検出する（Ａｃｔ６０２）。つまり、表示部３０が、本体１０の上面部に沿って倒れる状態（傾斜状態）であるか、若しくは本体１０の上面部から起立する状態（起立状態）であるかを検出する。この表示部３０の状態検出の判断は、例えば、センサ５８から検出された傾斜角θが予め設定されている傾斜角θ１を超えたか否かにより判断する。予め設定されている傾斜角θ１を超える場合、表示部３０は本体１０の上面部から起立する状態（起立状態）であると判断する。また、予め設定されている傾斜角θ１を超えない場合、表示部３０は、本体１０に対して本体の上面部に沿って倒れる状態（傾斜状態）であると判断する。
【００２４】
ＣＰＵ５１は、センサ５８からの入力を受け、予め設定されている傾斜角θ１を超えていないと判断すると（Ａｃｔ６０２のＹｅｓ）、ＲＡＭ５４に形成されたメモリテーブル内のフラグＦを１にセットする（Ａｃｔ６０３）。次に、ＣＰＵ５１は、表示部に表示させる画像の表示制御モードを第１の表示制御モードにて実行する（Ａｃｔ６０４）。すなわち、ＣＰＵ５１は、センサ５８にて前記本体に対する前記表示部の状態が本体１０の上面部に沿って倒れる状態（傾斜状態）である第１の動作位置であることを検出した場合、前記表示部に表示される画像を第１の表示制御モードにて表示制御させる。
【００２５】
ここで、第１の表示制御モードとは、例えば、表示部に表示されているポインタをユーザーのタッチ操作に追従する形式で表示制御させるモードである。表示部を倒した状態で使用する際は、商品登録業務等で使用する場合が多いため、表示部に表示されているポインタをユーザーのタッチ操作に追従する形式で表示制御する構成とすることが好ましい。
【００２６】
次に、ＣＰＵ５１は、予め定められた画素数にて表示部に画像を表示させる（Ａｃｔ６０５）。表示部に表示される画面には、予め定められた解像度にて画像表示がされる。
【００２７】
次に、ＣＰＵ５１は、ユーザーのタッチパネルに対するタッチ操作に応じて表示が切り替わる、変化するためにかかる時間である応答時間を第１の応答時間に設定する。この第１の応答時間は、後述する第２の応答時間よりも速い応答時間として設定される（Ａｃｔ６０６）。
【００２８】
表示部に対するタッチ操作に対する応答時間を後述する第２の表示制御モードよりも速めるように構成する理由は、店員によるタッチパネルに対する操作入力の頻度が、客による使用頻度よりも多いからである。
【００２９】
次に、ＣＰＵ５１は、センサ５８からの信号入力を待機する（Ａｃｔ６０７）。センサ５８からの信号入力がない場合（Ａｃｔ６０７のＮｏ）、信号入力の待機状態となり、ＰＯＳ端末１の表示制御モードは第１の表示制御モードの状態を保つ。一方、センサ５８からの信号の入力があった場合（Ａｃｔ６０７のＹｅｓ）、ＲＡＭなどに形成されたメモリテーブル内のフラグＦを反転させ、Ａｃｔ６１０の処理に進む。そして、Ａｃｔ６１０以降の処理を実行する。なお、Ａｃｔ６０７でのセンサ５８からの信号の入力があった場合とは、本体に対する表示部の状態が第１の動作位置から第２の動作位置に変更されたことをセンサ５８により検出されたことを意味する。
【００３０】
次に、Ａｃｔ６０２にてＮｏと判断された場合の処理について説明する。Ａｃｔ６０２にて、ＣＰＵ５１は、センサ５８により検出された傾斜角θが予め設定されている傾斜角θ１を超えたか否かを判断した結果、予め設定されている傾斜角θ１を超えていると判断すると（Ａｃｔ６０２のＮｏ）、ＲＡＭに形成されたメモリテーブル内のフラグＦを０にセットする（Ａｃｔ６０９）。
【００３１】
次に、ＣＰＵ５１は、表示部に表示させる画像を第２の表示制御モードにて実行する（Ａｃｔ６１０）。つまり、ＣＰＵ５１は、センサ５８にて前記本体に対する前記表示部の状態が本体１０の上面部に沿って起立した状態（起立状態）である第２の動作位置であることを検出した場合、前記表示部に表示される画像を第２の表示制御モードにて表示制御させる。
【００３２】
ここで、第２の表示制御モードは、第１の表示制御モードとは異なる表示制御モードであり、例えば、表示部に表示されている文字・画像等をユーザーの表示部に対するタッチ操作にて拡大・縮小等の処理を実現させる、又はユーザーによる表示部に対するタッチ操作に応じて表示部に表示された画像をスライドして表示する等を実現させる表示制御モードである。すなわち、第２の表示制御モードはいわゆるマルチタッチと呼ばれる表示制御を実現する。表示部を起立した状態で使用する場面として、表示部を起立させた状態で顧客に対して購入商品の確認等を促す、若しくは顧客に対して表示部に表示された画像を選択させる等の処理を実行する必要があるため、上記の第２の表示制御モードの構成とすることが好ましい。
【００３３】
次に、ＣＰＵ５１は、予め定められた画素数よりも少ない画素数にて表示部に画像を表示させる（Ａｃｔ６１１）。具体的には、ＬＣＤにおける一部の画素を点灯するよう制御して、予め定められた画素数よりも少ない画素数により表示を行うよう構成することができる。例えば、表示部を構成する縦及び横の画素を１ラインおきに発光させて表示部に画像を表示させる。この場合の表示部に表示される画像の解像度は、Ａｃｔ６０５の処理にて表示部に表示される画像の解像度と比べると低いものとなるが、表示部を構成する全ての画素を発光させる必要がないため、従来の構成よりも、画像を表示する際に使用する電力消費が少ないものとなる。
【００３４】
次に、ＣＰＵ５１は、ユーザーのタッチパネルに対するタッチ操作に応じた応答時間を第２の応答時間に設定する。この第２の応答時間は、先に述べた第１の応答時間よりも遅い応答時間として設定される（Ａｃｔ６１２）。ここで、表示部が、起立した状態（起立状態）の場合において、表示部の表示面に対する応答時間を第１の応答時間よりも遅くする理由は、本体に対して表示部が起立した状態（起立状態）の場合、顧客に対して購入商品の確認等を促す、若しくは顧客に対して表示部に表示された画像を選択させる等の処理を実行する場合が多い。すなわち、係る状態でのタッチパネルに対する入力操作は、店員が使用する場合に比べて、少ないものであり、応答速度を遅くして構成した場合であっても不都合は生じにくいと考えられる。なお、表示部は確認することを目的として使用することが多いため、応答速度よりも、表示部に対するタッチ操作に応じて表示部に表示されている文字等を拡大・縮小処理等を実現可能とする構成であることが求められる。
【００３５】
次に、ＣＰＵ５１はセンサ５８からの信号入力があるか否かを待機する（Ａｃｔ６１３）。センサ５８からの信号入力がない場合は（Ａｃｔ６１３のＮｏ）、Ａｃｔ６１３の処理に戻り、ＰＯＳ端末１の表示制御モードは第２の表示制御モードの状態にてセンサからの信号入力の待機状態となる。
【００３６】
一方、センサ５８から信号の入力があった場合（Ａｃｔ６１３のＹｅｓ）、ＲＡＭに形成されたメモリテーブル内のフラグＦを反転させ、Ａｃｔ６０４の処理に進む。そして、Ａｃｔ６０４以降の処理を実行する。
【００３７】
なお、本発明は上記の実施形態に限定されることはなく、例えば、ＣＰＵ５１が、センサ５８にて検出した傾斜角θが予め設定されている傾斜角θ１を超えると判断した場合に、第１の表示制御モードにて表示部の画面を表示させるように構成し、一方でセンサ５８にて検出した傾斜角θが予め設定されている傾斜角θ１を超えない場合に、第２の表示制御モードにて表示部の画面を表示させるように構成することも可能である。
【００３８】
次に第２の実施形態について述べる。図７は、ＰＯＳ端末１の表示部３０の状態変化に伴ってＣＰＵ５１が実行処理するフローチャートである。このフローチャートは、本体１０に対する表示部３０の状態を検出する加速度センサを用いて実現する
まずＣＰＵ５１は、表示部３０の状態を検出する（Ａｃｔ７０１）。すなわち、表示部３０が、本体１０に対して本体１０の上面部に沿って倒れる状態（傾斜状態）であるか、若しくは本体１０の上面部から起立する状態（起立状態）であるかを検出する。なお、第２実施形態の説明では、便宜上、初期状態は表示部３０が本体１０に対して起立した状態である場合を前提として説明する。
【００３９】
ＣＰＵ５１は、センサ５８である加速度センサからの入力を受けることを待機する（Ａｃｔ７０２）。加速度センサからの入力を受けると（Ａｃｔ７０２のＹｅｓ）、ＲＡＭ等の記憶領域に形成されたメモリテーブルのフラグＦを１として設定する（Ａｃｔ７０３）。ここで、加速度センサからの入力があったことは、表示部３０が店員または顧客により操作されることで表示部３０の角度が変更されたことを意味し、表示部３０は、初期状態の本体１０に対して起立した状態（図２参照）から本体に対して傾斜した状態（図３参照）へと変化したことを意味する。
【００４０】
次に、ＣＰＵ５１は、フラグＦが１にセットされたことを受けて、表示部に表示させる画像の表示制御モードを第１の表示制御モードにて実行する（Ａｃｔ７０４）。つまり、ＣＰＵ５１は、センサ５８にて前記本体に対する前記表示部の状態が本体１０の上面部に沿って倒れる状態（傾斜状態）である第１の動作位置であることを検出した場合、前記表示部に表示される画像を第１の表示制御モードにて表示制御させる。
【００４１】
次に、ＣＰＵ５１は、予め定められた画素数にて表示部に画像を表示させる（Ａｃｔ７０５）。すなわち、表示部に表示される画面上には、予め定められた解像度で画面表示がされ、次に、ＣＰＵ５１は、ユーザーのタッチパネルに対するタッチ操作に応じた応答時間を第１の応答時間に設定する。この第１の応答時間は、後述する第２の応答時間よりも速い応答時間として設定される（Ａｃｔ７０６）。
【００４２】
次に、Ａｃｔ７０７において、店員などにより再度、表示部３０が操作されて、表示部が傾斜した状態から起立した状態に変更されると、ＣＰＵ５１はセンサ７５からの信号を受信する（Ａｃｔ７０７）。ＣＰＵ５１は、１に設定されているフラグＦを反転させ（Ａｃｔ７０８）、フラグＦを０に設定する。Ａｃｔ７０７及びＡｃｔ７０８の処理は、店員または顧客により、表示部３０が起立した状態から傾斜した状態へと状態が変化したことを意味する。
【００４３】
なお、Ａｃｔ７０２にてＮｏと判断された場合の処理については図６でのＡｃｔ６０９以降の処理と同様であるため、説明は省略する。
【００４４】
以上、本実施形態のＰＯＳ端末によると、ＰＯＳ端末本体に対する表示部の動作位置に応じて表示部に表示する画像の表示制御方法を変更することができるので、例えば、商品登録処理を実行するユーザーに対しては、ポインティングデバイスのように機能し、一方、表示確認のために表示部を使用するユーザーに対しては、表示部の複数個所を同時に接触させて操作することができるいわゆるマルチタッチのように構成することができ、ユーザーに対する利便性を向上することができる。
【００４５】
また、本実施形態のＰＯＳ端末によると、本体に対する表示部の状態に応じて、表示部に画像表示をさせる際の画素数を変更するため、例えば、解像度を必要としない場合、予め定められた画素数よりも少ない画素数により画像表示をさせることができるため、消費電力を低減させることが可能となる。
【００４６】
また、センサにより本体に対する表示部の状態を検出し、この検出結果に応じて、ユーザーの表示部に対するタッチ操作に対する応答時間を変更する。すなわち、表示部の状態に応じてタッチ操作に対する応答時間が切り替わるので、システム設定の変更を行う必要がなくなる。
【００４７】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【００４８】
例えば、本実施形態では、第１表示制御モード及び第２表示制御モードのそれぞれのモードにおいて、画像表示に用いる画素数を変更するよう構成し、かつ表示部に対するユーザーのタッチ操作の応答時間を変更するよう構成した。しかしながら、必ずしもこれらの構成を有する必要は無い。例えば、第１表示制御モード及び第２表示制御モードにおいて、予め定められた画素数を変更させて表示させる実施形態としてもよい。すなわち、係る場合、図６のフローチャートにおいて、Ａｃｔ６０６及びＡｃｔ６１２の応答時間の設定を行う処理を省いたフローチャートによる処理にて構成することとなる。
【００４９】
また、別の変形例として、例えば、第１表示制御モード及び第２表示制御モードにおいて、ユーザーのタッチパネルに対するタッチ操作に応じた応答時間の設定のみを変更させる実施形態としてもよい。係る場合、図６のフローチャートにおいて、第１表示制御モード及び第２表示制御モードのいずれのモードにおいても予め定められた画素数にて表示することとなり、Ａｃｔ６０５及びＡｃｔ６１１の画素数の変更を行う処理を省いたフローチャートによる処理にて構成することとなる
【符号の説明】
【００５０】
１  ＰＯＳ端末（情報処理端末）、
２０  本体
３０  表示部
５１  ＣＰＵ
５２  プリンタ
５３  ＲＯＭ
５４  ＲＡＭ
５５  ＨＤＤ
５６  タッチパネル
５７  ＬＣＤ
５８  センサ
【図１】
2013073295.tif 000003
【図２】
2013073295.tif 000004
【図３】
2013073295.tif 000005
【図４】
2013073295.tif 000006
【図５】
2013073295.tif 000007
【図６】
2013073295.tif 000008
【図７】
2013073295.tif 000009